(57)【要約】【課題】積雪時における斜面雪圧及び雪の沈降力により、横メンバー上面や上端縁の胴縁上面に負担がかかり、格子状のフェンス本体の取付ボルト及び縦メンバーと横メンバーとの交差部分のスポット溶接等が損壊し、防獣機能を果せないこと。【解決手段】鉄線よりなる複数の縦メンバーと可撓性鋼線よりなる複数の横メンバーとを格子状に溶接してフェンス本体を構成すると共に、横メンバーの線径は、縦メンバーの線径より大としたことを特徴とする積雪用防獣フェンスを提供する。【選択図】　　　　図１
2004113137.tif 000002
【特許請求の範囲】
【請求項１】
鉄線よりなる複数の縦メンバーと可撓性鋼線よりなる複数の横メンバーとを格子状に溶接してフェンス本体を構成すると共に、横メンバーの線径は、縦メンバーの線径より大としたことを特徴とする積雪用防獣フェンス。
【発明の詳細な説明】
【０００１】
【発明の属する技術分野】
本発明は、雪圧に対する耐久性に富んだ積雪用防獣フェンスに関する。
【０００２】
【従来の技術】
従来、タヌキ等の小動物が高速道路に侵入しないように特殊構造の防獣用フェンスを道路側縁に沿って張設しているが、これらのフェンス構造としては、支柱間に格子状の網体を張設するように構成したものや、支柱頭部間に胴縁を架設し胴縁に格子状や網状のフェンス本体を吊下固定するように構成したもの等各種の防獣フェンスがある（例えば、特許文献１参照）。
【０００３】
また、積雪地向けとしては、金網の胴縁にヒートパイプの放熱部をはわせ、降り積もった雪が胴縁に沈降してくる際、雪を溶かし胴縁に加わる雪の沈降力を軽減させ変形を防止する防獣フェンスがある（例えば、特許文献２参照）。
【０００４】
【特許文献１】
特開２００１−２７９６２４号公報
【０００５】
【特許文献２】
特開２００１−３４２７５１号公報
【０００６】
【発明が解決しようとする課題】
かかる防獣フェンスの中でも、従来縦メンバーと横メンバーとを格子状に配列して構成したフェンスが多数用いられており、該防獣フェンスは地面に立設した支柱の頭部間に胴縁を架設し、胴縁に縦メンバーと横メンバーからなる格子状のフェンス本体を連設し、縦メンバーの下方自由端は櫛歯状に突出せしめて地中に突き刺す構造とし、フェンス本体下端縁と地表面との間の空隙を閉塞するようにしている。
【０００７】
すなわち、上記の形態の防獣フェンスは、縦メンバーと横メンバーにより密に格子目を形成して強度を補強しながら防獣機能を果たすように構成している。
【０００８】
ところが、積雪地、特にフェンスの外側が山岳地帯の傾斜面又はフェンスの内側面が盛土による法面を形成している個所では、傾斜面での積雪の滑りによる水平方向の雪圧（以下「斜面雪圧」という）や積雪が徐々に圧密されて沈下していく積雪の沈降現象（以下「雪の沈降力」という）が雪解けと共に大きくなり、横メンバー上面、胴縁上面及び金網の全面に掛かるために、格子状のフェンス本体の取付ボルトや胴縁を損傷し、また横メンバーを大きく彎曲状に変形させる。
【０００９】
特に彎曲状に変形したフェンス本体は雪解け季節になっても、もとの直線状の平坦なフェンス本体に復元することができず、変形したままとなり、もとの状態に復元できる縦メンバーともとの状態に復元できない横メンバーとの交差部分のスポット溶接部分が損傷したり、経年経過に伴い彎曲量が蓄積し金網全体が破壊され、防獣機能に支障を生起するという欠点があった。
【００１０】
また、従来の積雪用フェンスでは、胴縁にヒートパイプをはわせ同パイプからの放熱により雪を解かしているために費用がかかり、長距離を道路側縁に沿って張設するにはコストがかかり過ぎるという欠点があった。
【００１１】
【課題を解決するための手段】
そこで、本発明では、鉄線よりなる複数の縦メンバーと可撓性鋼線よりなる複数の横メンバーとを格子状に溶接してフェンス本体を構成すると共に、横メンバーの線径は、縦メンバーの線径より大としたことを特徴とする積雪用防獣フェンスを提供せんとするものである。
【００１２】
【発明の実施の形態】
以下に、本発明の実施の形態について説明する。
【００１３】
本発明では、特にフェンス取付道路が盛土法面により形成され法面や山岳傾斜面の下部に沿って本発明の積雪用防獣フェンスを張設するものとする。
【００１４】
従って、法面の積雪による斜面雪圧及び雪の沈降力がフェンス本体に掛かった場合は、支柱間の横メンバーは斜面雪圧及び雪の沈降力によって撓み、外側に向かって彎曲の膨出形状となる。他方、縦メンバーは上下端が横メンバーのように固定的に拘束されていないために、彎曲に撓んでも容易にもとの形状に復元して直線状となる。
【００１５】
そのため、従来の鉄線の横メンバーでは、一旦彎曲変形した場合、雪が解けてしまい斜面雪圧及び雪の沈降力がなくなっても復元せず彎曲したままとなり、復元できる縦メンバーとのスポット溶接部分が損壊して格子状のフェンスの形状を損い、タヌキ等の小動物が侵入しやすくなっていた。
【００１６】
しかし、本発明は、横メンバーを縦メンバーと異質の可撓性の鋼線を用いて剛性を大きくすることで変形しにくくし、しかも、斜面雪圧及び雪の沈降力により一旦彎曲変形し、復元できなかったものを、元の直線に復元し易くする。さらには、横メンバーの線径を縦メンバーの線径より大きくすることにより、さらに剛性を高めて強度も保持する。
【００１７】
すなわち、横メンバーに掛かる斜面雪圧及び雪の沈降力を可及的に小さくするために横メンバーの本数を少なくするものであるが、横メンバーの数が減少するために生起する剛性の低下を横メンバーの線径を大きくし、かつ弾力性域の大きい高強度な材質を用いることで補完するものである。
【００１８】
従って、積雪地で斜面雪圧及び雪の沈降力を直接的に受けることにより生起する横メンバーの彎曲変形を可及的に少なくし、かつ、変形した後の復元力も大きいため積雪地における格子状の防獣フェンスの損壊を可及的に防止しうるものである。
【００１９】
【実施例】
以下に、本発明の実施例を図面に基づき詳説する。
【００２０】
図１に示すＡは本発明の積雪用防獣フェンスであり、地中にはコンクリートアンカー２を固定し、その上部に支柱１を立設し、同支柱間１，１に格子状のフェンス本体ａの左右側縁を張設する。
【００２１】
さらに、図２に示すように、フェンス本体ａは縦メンバーａ１と横メンバーａ２とを格子状にスポット溶接した溶接部３を形成しており、特に縦メンバーａ１の下方自由端は櫛歯状に突出させ、地中に挿入埋設できるようにし、小動物がフェンス本体ａと地面との間隙から道路側へ侵入しないようにする。
【００２２】
本実施例の要旨は、かかるフェンス本体ａの縦メンバーａ１と横メンバーａ２の材質及びその形状に特徴を有する。すなわち、縦メンバーａ１は従前の材質と同じ鉄線を用いることとするが、横メンバーａ２は、いわゆる焼入れ及び焼き戻しの熱処理を施す調質処理をしない非調質鋼を用いている。
【００２３】
この非調質鋼は良好な強度と強い復元性を有しており、次のようにして製造する。
【００２４】
すなわち、主原料の鉄を溶解し、さらにその中に副原料として炭素、ケイ素、マンガン、銅、ニッケル、クロム等を特定比率で溶解する。そして、その溶解したものを鋳造し粗棒とし、その粗棒を熱間圧延し棒材を製造する。その後、熱間圧延によりできた棒材を５００℃〜７５０℃の温度範囲を１〜５℃／ｓｅｃの平均冷却速度で冷却することにより非調質鋼となる。
【００２５】
このようにして製造した非調質鋼を用いたフェンス本体ａの横メンバーａ２の撓み後についての復元速度を実験すると図３に示すようなグラフとなる。
【００２６】
すなわち、加重を０から徐々に１２６０ｋｇｆまで大きくしていくと撓み量はほぼ１００ｍｍ位で一定となり、５分後に加重を１２６０ｋｇｆから徐々に０まで小さくしていくと撓み量は０となり横メンバーａ２は復元する。
【００２７】
この実験値をみる限り、非調質処理の剛性の横メンバーａ２は、斜面雪圧及び雪の沈降力によって一旦撓んでも斜面雪圧及び雪の沈降力を受けなくなれば、もとに復元することが判明している。
【００２８】
上記のように製造された非調質処理の鋼を用いた横メンバーａ２は、図２に示すように、その線径を縦メンバーａ１の線径よりも大きくし剛性を高めている。例えば、縦メンバーの線径は直径４〜６ｍｍとするのに対し、横メンバーａ２の線径は直径６〜８ｍｍとする。また、横メンバーａ２に対する斜面雪圧及び雪の沈降力の影響を可及的に少なくするために、横メンバーａ２の本数を縦メンバーａ１の本数の約３分の１とする。
【００２９】
すなわち、斜面雪圧及び雪の沈降力の影響を少なくするためにフェンス本体ａ中の張設する横メンバーａ２の本数を少なくする一方、本数の減少から起きるフェンス本体ａの全体強度の低下を防ぐために横メンバーａ２の線径を縦メンバーａ１よりも大きくしている。
【００３０】
このように構成した積雪用防獣フェンスＡは、次のような法面や傾斜地の下部に張設されるものである。すなわち、図４に示すようにフェンス取付道路１０の両側縁が盛土法面１１により形成され、法面の下部に沿って張設したり、図５に示すように道路の両側縁が切削土法面１２により形成され、切削土法面１２の下部に沿って張設したり、図６に示すように道路の両側方が山岳傾斜地１３である傾斜面下部に沿って張設したりするものである。
【００３１】
積雪用防獣フェンスＡは、このような個所に張設されて、積雪Ｂによる斜面雪圧及び雪の沈降力が生起しても損壊することなくタヌキ等の小動物が道路内に侵入するのを可及的に防ぐことができるようになる。
【００３２】
従って、豪雪地帯において積雪する度に変形するフェンスをその都度張り替える必要が極端に少なくなり、大幅なコストの軽減に貢献する。
【００３３】
【発明の効果】
請求項１記載の本発明では、鉄線よりなる複数の縦メンバーと可撓性鋼線よりなる複数の横メンバーとを格子状に溶接してフェンス本体を構成すると共に、横メンバーの線径は、縦メンバーの線径より大とした。
【００３４】
このように、横メンバーを縦メンバーより大とした線径の可撓性鋼線とすることで彎曲に撓んだ横メンバーは復元することができるようになり、さらに斜面雪圧及び雪の沈降力によって溶接部を損壊することがなくなり、しかも、縦メンバーに従来の鉄線を用いていることから、フェンス全体のコストを抑え斜面雪圧及び雪の沈降力に対する強度を保持した安価な積雪用防獣フェンスを提供することができる効果がある。
【図面の簡単な説明】
【図１】本発明の積雪用防獣用フェンスの正面図。
【図２】図１の部分拡大断面図。
【図３】横メンバーの復元力を示す実験データグラフ。
【図４】使用状態を示す実施例。
【図５】使用状態を示す他の実施例。
【図６】使用状態を示す他の実施例。
【符号の説明】
Ａ　積雪用防獣フェンス
Ｂ　積雪
１　支柱
２　コンクリートアンカー
３　溶接部
ａ　フェンス本体
ａ１　縦メンバー
ａ２　横メンバー
【図１】
2004113137.tif 000003
【図２】
2004113137.tif 000004
【図３】
2004113137.tif 000005
【図４】
2004113137.tif 000006
【図５】
2004113137.tif 000007
【図６】
2004113137.tif 000008